(57)【要約】【課題】標準規定されているインタフェース仕様を変更することなく事業者ごとの負荷情報を取得することができる無線通信システムにおける基地局装置および負荷情報取得方法を提供する。【解決手段】所定数以下のネットワーク事業者（A,B,C,D）をサポート可能な基地局（１０，２０）を含む無線通信システムにおいて、第１基地局（１０）が第２基地局（２０）により管理される隣接セルでサポートされるネットワーク事業者の識別情報を保持し（Ｓ３０）、第１基地局（１０）が隣接セルの事業者識別情報に基づいて負荷情報要求メッセージを送信し（Ｓ３２）、第２基地局（２０）が負荷情報要求メッセージに応じて隣接セルでサポートされるネットワーク事業者の負荷情報を負荷情報通知メッセージに設定して送信し（Ｓ３３、Ｓ３４）、第１基地局（１０）が負荷情報通知メッセージから隣接セルの事業者単位の負荷情報を取得する（Ｓ３５）。【選択図】図１
2014204171.tif 000002
【特許請求の範囲】
【請求項１】
所定数以下のネットワーク事業者をサポート可能な基地局を含む無線通信システムであって、
第１基地局が第２基地局により管理される隣接セルでサポートされるネットワーク事業者の識別情報を保持し、
前記第１基地局が、前記隣接セルの事業者識別情報に基づいて負荷情報要求メッセージを送信し、
前記第２基地局が、前記負荷情報要求メッセージに応じて、前記隣接セルでサポートされるネットワーク事業者の負荷情報を負荷情報通知メッセージに設定して送信し、
前記第１基地局が、前記負荷情報通知メッセージから前記隣接セルの事業者単位の負荷情報を取得する、
ことを特徴とする無線通信システム。
【請求項２】
前記第１基地局が保持する前記隣接セルの事業者識別情報は、前記第２基地局が保持する当該隣接セルの事業者識別情報と同一の順序で配列されていることを特徴とする請求項１に記載の無線通信システム。
【請求項３】
前記第２基地局が、前記負荷情報要求メッセージによる個別報告要求に応じて、前記隣接セルでサポートされるネットワーク事業者の負荷情報を個別に前記負荷情報通知メッセージに設定して送信する、ことを特徴とする請求項１または２に記載の無線通信システム。
【請求項４】
前記第１基地局が、所定の分割ルールに従ってeNB1 Measurement IDを前記所定数以上に分割し、前記所定数以上の分割eNB1 Measurement IDの少なくとも一部をそれぞれ前記隣接セルの事業者識別情報に対応付け、所望のネットワーク事業者の識別情報に対応した分割eNB1 Measurement IDを前記負荷情報要求メッセージに設定することを特徴とする請求項３に記載の無線通信システム。
【請求項５】
前記第２基地局が前記負荷情報要求メッセージに設定された分割eNB1 Measurement IDを用いて前記所定の分割ルールに従って負荷情報が要求される事業者識別情報を特定し、当該事業者の負荷情報を前記負荷情報通知メッセージに設定して送信する、ことを特徴とする請求項４に記載の無線通信システム。
【請求項６】
前記第２基地局が、前記負荷情報要求メッセージによる一括報告要求に応じて、前記隣接セルでサポートされる全てのネットワーク事業者の負荷情報を一括して前記負荷情報通知メッセージに設定して送信する、ことを特徴とする請求項１または２に記載の無線通信システム。
【請求項７】
前記第１基地局が、所望の事業者識別情報を含む隣接指定セルを前記負荷情報要求メッセージに設定することを特徴とする請求項６に記載の無線通信システム。
【請求項８】
前記第２基地局が、前記負荷情報要求メッセージに設定された隣接指定セルでサポートされる全ての事業者の負荷情報を事業者単位で前記負荷情報通知メッセージに設定して送信し、
前記第１基地局が、前記隣接指定セルの事業者識別情報を参照しながら、前記負荷情報通知メッセージから当該隣接指定セルの事業者単位の負荷情報を取得する、ことを特徴とする請求項７に記載の無線通信システム。
【請求項９】
前記第２基地局が、前記負荷情報要求メッセージが個別報告要求であるか一括報告要求であるかに応じて、前記隣接セルでサポートされるネットワーク事業者の負荷情報を個別にあるいは前記隣接セルでサポートされる全てのネットワーク事業者の負荷情報を一括して、前記負荷情報通知メッセージに設定して送信する、ことを特徴とする請求項１または２に記載の無線通信システム。
【請求項１０】
前記第１基地局が、所定の分割ルールに従ってeNB1 Measurement IDを前記所定数より多く分割し、前記所定数より多い分割eNB1 Measurement IDの少なくとも一部を前記個部悦報告要求に、残りの分割eNB1 Measurement IDの少なくとも一部を前記一括報告要求に、それぞれ割り当てることを特徴とする請求項９に記載の無線通信システム。
【請求項１１】
前記負荷情報要求メッセージおよび前記負荷情報通知メッセージは、それぞれ、ＬＴＥ(Long Term Evolution)システムのリソース状態報告開始手順(Resource Status Reporting Initiation Procedure)に基づくメッセージおよびリソース状態報告手順(Resource Status Reporting Procedure)に基づくメッセージであることを特徴とする請求項１−１０のいずれか１項に記載の無線通信システム。
【請求項１２】
前記負荷情報要求メッセージおよび前記負荷情報通知メッセージは、それぞれ、異なる無線アクセスシステム間(Inter RAT)のRAN情報取得手順(RAN Information Request/Multiple Report Procedure)における複数セル負荷報告要求(Multi-Cell Load Reporting Request)に基づくメッセージおよびRAN情報送信手順(RAN Information Send Procedure)における複数セル負荷報告応答(Multi-Cell Load Reporting Response)基づくメッセージであることを特徴とする請求項１、２、６−８のいずれか１項に記載の無線通信システム。
【請求項１３】
所定数以下のネットワーク事業者をサポート可能な基地局装置であって、
隣接セルがサポートするネットワーク事業者の識別情報を保持するサポート事業者保持手段と、
前記隣接セルの事業者識別情報に基づいて負荷情報要求メッセージを前記隣接セルを管理する他の基地局装置へ送信し、その応答である負荷情報通知メッセージから前記隣接セルの事業者単位の負荷情報を取得する負荷情報取得手段と、
を有することを特徴とする基地局装置。
【請求項１４】
前記サポート事業者保持手段が保持する前記隣接セルの事業者識別情報は、前記他の基地局が保持する当該隣接セルの事業者識別情報と同一の順序で配列されていることを特徴とする請求項１３に記載の基地局装置。
【請求項１５】
前記負荷情報取得手段は、前記負荷情報要求メッセージを個別報告要求として送信することを特徴とする請求項１３または１４に記載の基地局装置。
【請求項１６】
前記負荷情報取得手段は、所定の分割ルールに従ってeNB1 Measurement IDを前記所定数以上に分割し、前記所定数以上の分割eNB1 Measurement IDの少なくとも一部をそれぞれ前記隣接セルの事業者識別情報に対応付け、所望のネットワーク事業者の識別情報に対応した分割eNB1 Measurement IDを前記負荷情報要求メッセージに設定することを特徴とする請求項１５に記載の基地局装置。
【請求項１７】
前記負荷情報取得手段は、前記負荷情報要求メッセージを一括報告要求として送信することを特徴とする請求項１３または１４に記載の基地局装置。
【請求項１８】
前記負荷情報取得手段は、所望の事業者識別情報を含む隣接指定セルを前記負荷情報要求メッセージに設定することを特徴とする請求項１７に記載の基地局装置。
【請求項１９】
前記負荷情報取得手段は、前記サポート事業者保持手段に保持されている前記隣接指定セルの事業者識別情報を参照しながら、前記負荷情報通知メッセージから当該隣接指定セルの事業者単位の負荷情報を取得する、ことを特徴とする請求項１８に記載の基地局装置。
【請求項２０】
前記負荷情報取得手段は、負荷情報を要求するネットワーク事業者の数に応じて、前記負荷情報要求メッセージを個別報告要求あるいは一括報告要求のいずれかに設定することを特徴とする請求項１３または１４に記載の基地局装置。
【請求項２１】
前記負荷情報取得手段は、所定の分割ルールに従ってeNB1 Measurement IDを前記所定数より多く分割し、前記所定数より多い分割eNB1 Measurement IDの少なくとも一部を前記個部悦報告要求に、残りの分割eNB1 Measurement IDの少なくとも一部を前記一括報告要求に、それぞれ割り当てることを特徴とする請求項２０に記載の基地局装置。
【請求項２２】
前記負荷情報要求メッセージおよび前記負荷情報通知メッセージは、それぞれ、ＬＴＥ(Long Term Evolution)システムのリソース状態報告開始手順(Resource Status Reporting Initiation Procedure)に基づくメッセージおよびリソース状態報告手順(Resource Status Reporting Procedure)に基づくメッセージであることを特徴とする請求項１３−２１のいずれか１項に記載の基地局装置。
【請求項２３】
前記負荷情報要求メッセージおよび前記負荷情報通知メッセージは、それぞれ、異なる無線アクセスシステム間(Inter RAT)のRAN情報取得手順(RAN Information Request/Multiple Report Procedure)における複数セル負荷報告要求(Multi-Cell Load Reporting Request)に基づくメッセージおよびRAN情報送信手順(RAN Information Send Procedure)における複数セル負荷報告応答(Multi-Cell Load Reporting Response)に基づくメッセージであることを特徴とする請求項１３、１４、１７−１９のいずれか１項に記載の基地局装置。
【請求項２４】
所定数以下のネットワーク事業者をサポート可能な基地局装置であって、
他の基地局装置が管理するセルと隣接する自局セルのネットワーク事業者の識別情報を保持するサポート事業者保持手段と、
前記自局セルの事業者識別情報を参照し、前記他の基地局装置から受信した負荷情報要求メッセージに応じて前記自局セルのネットワーク事業者の負荷情報を負荷情報通知メッセージに設定して送信する制御手段と、
を有することを特徴とする基地局装置。
【請求項２５】
前記サポート事業者保持手段が保持する前記自局セルの事業者識別情報は、前記他の基地局が保持する当該自局セルの事業者識別情報と同一の順序で配列されていることを特徴とする請求項２４に記載の基地局装置。
【請求項２６】
前記制御手段は、前記負荷情報要求メッセージによる個別報告要求に応じて、前記自局セルでサポートされるネットワーク事業者の負荷情報を個別に前記負荷情報通知メッセージに設定して送信する、ことを特徴とする請求項２４または２５に記載の基地局装置。
【請求項２７】
前記他の基地局装置が、所定の分割ルールに従ってeNB1 Measurement IDを前記所定数以上に分割し、前記所定数以上の分割eNB1 Measurement IDの少なくとも一部をそれぞれ前記隣接セルの事業者識別情報に対応付け、所望のネットワーク事業者の識別情報に対応した分割eNB1 Measurement IDを前記負荷情報要求メッセージに設定している、ことを特徴とする請求項２６に記載の基地局装置。
【請求項２８】
前記制御手段は、前記負荷情報要求メッセージに設定された分割eNB1 Measurement IDを用いて前記所定の分割ルールに従って負荷情報が要求される事業者識別情報を特定し、当該事業者の負荷情報を前記負荷情報通知メッセージに設定して送信する、ことを特徴とする請求項２７に記載の基地局装置。
【請求項２９】
前記制御手段は、前記負荷情報要求メッセージによる一括報告要求に応じて、前記隣接セルでサポートされる全てのネットワーク事業者の負荷情報を一括して前記負荷情報通知メッセージに設定して送信する、ことを特徴とする請求項２４または２５に記載の基地局装置。
【請求項３０】
前記負荷情報要求メッセージには所望の事業者識別情報を含む隣接指定セルが設定されていることを特徴とする請求項２９に記載の基地局装置。
【請求項３１】
前記制御手段は、前記負荷情報要求メッセージに設定された隣接指定セルでサポートされる全ての事業者の負荷情報を事業者単位で前記負荷情報通知メッセージに設定して送信することを特徴とする請求項３０に記載の基地局装置。
【請求項３２】
前記制御手段は、前記負荷情報要求メッセージが個別報告要求であるか一括報告要求であるかに応じて、前記隣接セルでサポートされるネットワーク事業者の負荷情報を個別にあるいは前記隣接セルでサポートされる全てのネットワーク事業者の負荷情報を一括して、前記負荷情報通知メッセージに設定して送信する、ことを特徴とする請求項２４または２５に記載の基地局装置。
【請求項３３】
前記他の基地局装置が、所定の分割ルールに従ってeNB1 Measurement IDを前記所定数より多く分割し、前記所定数より多い分割eNB1 Measurement IDの少なくとも一部を前記個部悦報告要求に、残りの分割eNB1 Measurement IDの少なくとも一部を前記一括報告要求に、それぞれ割り当てることを特徴とする請求項３２に記載の基地局装置。
【請求項３４】
前記負荷情報要求メッセージおよび前記負荷情報通知メッセージは、それぞれ、ＬＴＥ(Long Term Evolution)システムのリソース状態報告開始手順(Resource Status Reporting Initiation Procedure)に基づくメッセージおよびリソース状態報告手順(Resource Status Reporting Procedure)に基づくメッセージであることを特徴とする請求項２４−３３のいずれか１項に記載の基地局装置。
【請求項３５】
前記負荷情報要求メッセージおよび前記負荷情報通知メッセージは、それぞれ、異なる無線アクセスシステム間(Inter RAT)のRAN情報取得手順(RAN Information Request/Multiple Report Procedure)における複数セル負荷報告要求(Multi-Cell Load Reporting Request)に基づくメッセージおよびRAN情報送信手順(RAN Information Send Procedure)における複数セル負荷報告応答(Multi-Cell Load Reporting Response)に基づくメッセージであることを特徴とする請求項２４、２５、２９−３１のいずれか１項に記載の基地局装置。
【請求項３６】
所定数以下のネットワーク事業者をサポート可能な基地局を含む無線通信システムにおける負荷情報取得方法であって、
第１基地局が第２基地局により管理される隣接セルでサポートされるネットワーク事業者の識別情報を保持し、
前記第１基地局が、前記隣接セルの事業者識別情報に基づいて負荷情報要求メッセージを送信し、
前記第２基地局が、前記負荷情報要求メッセージに応じて、前記隣接セルでサポートされるネットワーク事業者の負荷情報を負荷情報通知メッセージに設定して送信し、
前記第１基地局が、前記負荷情報通知メッセージから前記隣接セルの事業者単位の負荷情報を取得する、
ことを特徴とする負荷情報取得方法。
【請求項３７】
前記第１基地局が保持する前記隣接セルの事業者識別情報は、前記第２基地局が保持する当該隣接セルの事業者識別情報と同一の順序で配列されていることを特徴とする請求項３６に記載の負荷情報取得方法。
【請求項３８】
前記第２基地局が、前記負荷情報要求メッセージによる個別報告要求に応じて、前記隣接セルでサポートされるネットワーク事業者の負荷情報を個別に前記負荷情報通知メッセージに設定して送信する、ことを特徴とする請求項３６または３７に記載の負荷情報取得方法。
【請求項３９】
前記第１基地局が、所定の分割ルールに従ってeNB1 Measurement IDを前記所定数以上に分割し、前記所定数以上の分割eNB1 Measurement IDの少なくとも一部をそれぞれ前記隣接セルの事業者識別情報に対応付け、所望のネットワーク事業者の識別情報に対応した分割eNB1 Measurement IDを前記負荷情報要求メッセージに設定することを特徴とする請求項３８に記載の負荷情報取得方法。
【請求項４０】
前記第２基地局が前記負荷情報要求メッセージに設定された分割eNB1 Measurement IDを用いて前記所定の分割ルールに従って負荷情報が要求される事業者識別情報を特定し、当該事業者の負荷情報を前記負荷情報通知メッセージに設定して送信する、ことを特徴とする請求項３９に記載の負荷情報取得方法。
【請求項４１】
前記第２基地局が、前記負荷情報要求メッセージによる一括報告要求に応じて、前記隣接セルでサポートされる全てのネットワーク事業者の負荷情報を一括して前記負荷情報通知メッセージに設定して送信する、ことを特徴とする請求項３６または３７に記載の無線通信システム。
【請求項４２】
前記第１基地局が、所望の事業者識別情報を含む隣接指定セルを前記負荷情報要求メッセージに設定することを特徴とする請求項４１に記載の負荷情報取得方法。
【請求項４３】
前記第２基地局が、前記負荷情報要求メッセージに設定された隣接指定セルでサポートされる全ての事業者の負荷情報を事業者単位で前記負荷情報通知メッセージに設定して送信し、
前記第１基地局が、前記隣接指定セルの事業者識別情報を参照しながら、前記負荷情報通知メッセージから当該隣接指定セルの事業者単位の負荷情報を取得する、ことを特徴とする請求項４２に記載の負荷情報取得方法。
【請求項４４】
前記第２基地局が、前記負荷情報要求メッセージが個別報告要求であるか一括報告要求であるかに応じて、前記隣接セルでサポートされるネットワーク事業者の負荷情報を個別にあるいは前記隣接セルでサポートされる全てのネットワーク事業者の負荷情報を一括して、前記負荷情報通知メッセージに設定して送信する、ことを特徴とする請求項３６または３７に記載の負荷情報取得方法。
【請求項４５】
前記第１基地局が、所定の分割ルールに従ってeNB1 Measurement IDを前記所定数より多く分割し、前記所定数より多い分割eNB1 Measurement IDの少なくとも一部を前記個部悦報告要求に、残りの分割eNB1 Measurement IDの少なくとも一部を前記一括報告要求に、それぞれ割り当てることを特徴とする請求項４４に記載の負荷情報取得方法。
【請求項４６】
前記負荷情報要求メッセージおよび前記負荷情報通知メッセージは、それぞれ、ＬＴＥ(Long Term Evolution)システムのリソース状態報告開始手順(Resource Status Reporting Initiation Procedure)に基づくメッセージおよびリソース状態報告手順(Resource Status Reporting Procedure)に基づくメッセージであることを特徴とする請求項３６−４５のいずれか１項に記載の負荷情報取得方法。
【請求項４７】
前記負荷情報要求メッセージおよび前記負荷情報通知メッセージは、それぞれ、異なる無線アクセスシステム間(Inter RAT)のRAN情報取得手順(RAN Information Request/Multiple Report Procedure)における複数セル負荷報告要求(Multi-Cell Load Reporting Request)に基づくメッセージおよびRAN情報送信手順(RAN Information Send Procedure)における複数セル負荷報告応答(Multi-Cell Load Reporting Response)に基づくメッセージであることを特徴とする請求項３６、３７、４１−４３のいずれか１項に記載の負荷情報取得方法。
【請求項４８】
所定数以下のネットワーク事業者をサポート可能な基地局装置としてコンピュータを機能させるプログラムであって、
隣接セルがサポートするネットワーク事業者の識別情報を保持するサポート事業者保持機能と、
前記隣接セルの事業者識別情報に基づいて負荷情報要求メッセージを前記隣接セルを管理する他の基地局装置へ送信し、前記負荷情報要求メッセージに応じた負荷情報通知メッセージから前記隣接セルの事業者単位の負荷情報を取得する負荷情報取得機能と、
を前記コンピュータに実現することを特徴とするプログラム。
【請求項４９】
所定数以下のネットワーク事業者をサポート可能な基地局装置としてコンピュータを機能させるプログラムであって、
他の基地局装置が管理するセルと隣接する自局セルのネットワーク事業者の識別情報を保持するサポート事業者保持機能と、
前記自局セルの事業者識別情報を参照し、前記他の基地局装置から受信した負荷情報要求メッセージに応じて前記自局セルのネットワーク事業者の負荷情報を負荷情報通知メッセージに設定して送信する機能と、
を前記コンピュータに実現することを特徴とするプログラム。
【発明の詳細な説明】
【技術分野】
【０００１】
本発明は無線通信システムに係り、特に隣接セルの負荷情報を取得する方法および基地局装置に関する。
【背景技術】
【０００２】
近年、オペレーションコスト（ＯＰＥＸ）削減の観点などから、セルラシステムなどの無線通信システムにおける無線パラメータやネットワーク設定の最適化を自律的に行うＳＯＮ（Self Organizing Network）の検討が盛んに行われている。３ＧＰＰ(3rd Generation Partnership Project)  ＬＴＥ（Long Term Evolution）においてもＳＯＮ機能の標準化が行われている。ＳＯＮに含まれる自己最適化（Self-Optimization）の機能には負荷分散の最適化（Mobility Load Balancing：ＭＬＢ）があり、これを実現するための負荷情報取得方法が種々提案されている。
【０００３】
たとえば、特許文献１に開示された方法によれば、複数のネットワーク事業者が基地局を共有するシステムにおいて、その基地局が各事業者の負荷寄与度をモニタし、そのモニタ結果をResource Status Request/Report等のメッセージによりＸ２インタフェースを通して他の基地局へ通知する。このように、基地局間で事業者毎（per PLMN (Public Land Mobile Networks)）の負荷情報を交換することにより負荷バランスを達成しようとする。
【先行技術文献】
【特許文献】
【０００４】
【特許文献１】国際公開第ＷＯ２０１２／１６０９７７Ａ１号パンフレット
【発明の概要】
【発明が解決しようとする課題】
【０００５】
しかしながら、特許文献１に開示された方法では、自局でモニタした事業者ごとの負荷寄与度をResource Status Request/Update等のメッセージを利用して交換しようとするものであり、３ＧＰＰ（3rd Generation Partnership Project）により規定されているインタフェース仕様を変更する必要がある。
【０００６】
そこで、本発明の目的は、標準規定されているインタフェース仕様を変更することなく事業者ごとの負荷情報を取得することができる、無線通信システムにおける基地局装置および負荷情報取得方法を提供することにある。
【課題を解決するための手段】
【０００７】
本発明による無線通信システムは、所定数以下のネットワーク事業者をサポート可能な基地局を含む無線通信システムであって、第１基地局が第２基地局により管理される隣接セルでサポートされるネットワーク事業者の識別情報を保持し、前記第１基地局が、前記隣接セルの事業者識別情報に基づいて負荷情報要求メッセージを送信し、前記第２基地局が、前記負荷情報要求メッセージに応じて、前記隣接セルでサポートされるネットワーク事業者の負荷情報を負荷情報通知メッセージに設定して送信し、前記第１基地局が、前記負荷情報通知メッセージから前記隣接セルの事業者単位の負荷情報を取得する、ことを特徴とする。
本発明による基地局装置は、所定数以下のネットワーク事業者をサポート可能な基地局装置であって、隣接セルがサポートするネットワーク事業者の識別情報を保持するサポート事業者保持手段と、前記隣接セルの事業者識別情報に基づいて負荷情報要求メッセージを前記隣接セルを管理する他の基地局装置へ送信し、前記負荷情報要求メッセージに応じた負荷情報通知メッセージから前記隣接セルの事業者単位の負荷情報を取得する負荷情報取得手段と、を有することを特徴とする。
本発明による基地局装置は、所定数以下のネットワーク事業者をサポート可能な基地局装置であって、他の基地局装置が管理するセルと隣接する自局セルのネットワーク事業者の識別情報を保持するサポート事業者保持手段と、前記自局セルの事業者識別情報を参照し、前記他の基地局装置から受信した負荷情報要求メッセージに応じて前記自局セルのネットワーク事業者の負荷情報を負荷情報通知メッセージに設定して送信する制御手段と、を有することを特徴とする。
本発明による負荷情報取得方法は、所定数以下のネットワーク事業者をサポート可能な基地局を含む無線通信システムにおける負荷情報取得方法であって、第１基地局が第２基地局により管理される隣接セルでサポートされるネットワーク事業者の識別情報を保持し、前記第１基地局が、前記隣接セルの事業者識別情報に基づいて負荷情報要求メッセージを送信し、前記第２基地局が、前記負荷情報要求メッセージに応じて、前記隣接セルでサポートされるネットワーク事業者の負荷情報を負荷情報通知メッセージに設定して送信し、前記第１基地局が、前記負荷情報通知メッセージから前記隣接セルの事業者単位の負荷情報を取得する、ことを特徴とする。
【発明の効果】
【０００８】
本発明によれば、標準規定されているインタフェース仕様を変更することなく事業者ごとの負荷情報の取得が可能となる。
【図面の簡単な説明】
【０００９】
【図１】図１は本発明の一実施形態による無線通信システムの基本的動作を示すシーケンス図である。
【図２】図２は本実施形態における基地局装置の機能構成を示すブロック図である。
【図３】図３は本実施形態におけるサポート事業者テーブル１０５の構成例を示す模式図である。
【図４】図４は本発明の第１実施例による負荷情報取得方法を示す基地局間シーケンス図である。
【図５】図５は第１実施例におけるeNB1 Measurement IDの分割方法の一例を示す模式図である。
【図６】図６は本発明の第２実施例による負荷情報取得方法を示す基地局間シーケンス図である。
【図７】図７は本発明の第３実施例による負荷情報取得方法を示す基地局間シーケンス図である。
【図８】図８は第３実施例におけるeNB1 Measurement IDの分割方法の一例を示す模式図である。
【図９】図９は本発明の第４実施例による負荷情報取得方法を示す基地局間シーケンス図である。
【発明を実施するための形態】
【００１０】
本発明の実施形態によれば、隣接セルでサポートされているネットワーク事業者の情報を保持し、既存のインタフェースに従って隣接セルの事業者単位の負荷情報を取得する。たとえば、eNB1 Measurement IDを所定の分割ルールに従って分割し、それぞれに隣接セルがサポートする事業者(PLMN-ID)を紐づけることで、隣接セルの事業者単位の負荷情報を取得することができる。あるいは、既存の負荷情報要求/通知メッセージに従って隣接セルの各事業者の負荷情報を一括で取得し、保持している隣接セルの事業者情報を参照して各事業者の負荷情報を取得することもできる。
【００１１】
このようにして、３ＧＰＰにより規定されているインタフェース仕様を変更することなく事業者ごとの負荷情報の取得が可能となり、基地局が複数のネットワーク事業者により共有される環境下において事業者単位の負荷分散が実現できる。以下、本発明の実施形態および実施例について図面を参照しながら詳細に説明する。
【００１２】
１．一実施形態
図１において、基地局装置１０と基地局装置２０とは互いに隣接するセルを有し、Ｘ２インタフェースあるいはＳ１インタフェースを介して相互に通信可能であるものとする。また、基地局装置１０と基地局装置２０はそれぞれ最大Ｎ個のネットワーク事業者により共有可能であるとし、ここでは、一例として、基地局装置１０がネットワーク事業者Ａ、Ｂ、ＣおよびＤにより共有され、基地局装置２０がネットワーク事業者ＡおよびＤにより共有されている場合を示す。また、基地局装置１０および基地局装置２０には、それぞれ隣接セルサポート事業者テーブル１１および２１が設けられているものとする。
【００１３】
まず、基地局装置１０と基地局装置２０とは互に相手の設定情報を取得し、それぞれの隣接セルサポート事業者テーブル１１および２１に隣接セルがサポートする事業者の識別情報を記録する（動作Ｓ３０）。基地局装置１０の隣接セルサポート事業者テーブル１１にはネットワーク事業者Ａ、Ｂ、ＣおよびＤが、基地局装置２０の隣接セルサポート事業者テーブル２１にはネットワーク事業者Ａ、Ｄが、それぞれ格納されている。
【００１４】
続いて、基地局装置１０で事業者単位の負荷情報を取得する契機が生じると（動作Ｓ３１）、基地局装置１０は隣接セルサポート事業者テーブル１１を参照して隣接セルがサポートする１つあるいは複数の事業者を特定し、規定のインタフェースに従って負荷情報要求メッセージを基地局装置２０へ送信する（動作Ｓ３２）。負荷情報要求メッセージを受信した基地局装置２０は、指定された自局セルにおけるサポート事業者単位の負荷情報を負荷情報通知メッセージに設定し（動作Ｓ３３）、基地局装置１０へ送信する（動作Ｓ３４）。
負荷情報要求および負荷情報通知のための規定のインタフェースとしては、以下のものがある。
【００１５】
・ＬＴＥ内(Intra LTE)では、リソース状態報告開始手順(Resource Status Reporting Initiation Procedure(3GPP TS36.423 V11.0.0 Sec 8.3.6))におけるRESOURCE STATUS REQUESTメッセージおよびリソース状態報告手順(Resource Status Reporting Procedure(3GPP TS36.423 V11.0.0 Sec 8.3.7)におけるRESOURCE STATUS UPDATEメッセージ。
【００１６】
・異なる無線アクセスシステム間(Inter RAT)では、RAN情報要求手順(RAN Information Request/Multiple Report Procedure(3GPP TS48.018 V11.2.0 Sec 8c.2.2.2))において、複数セル負荷報告要求(Multi-Cell Load Reporting Request(3GPP TS36.413 V11.2.1 Sec B.1.7)を設定したRAN-INFORMATION REQUEST/Multiple ReportメッセージおよびRAN情報送信手順(RAN Information Send Procedure(3GPP TS48.018 V11.2.0 Sec 8c.2.3))において複数セル負荷報告応答(Multi-Cell Load Reporting Response(3GPP TS36.413 V11.2.1 Sec B.1.9)を設定したRAN-INFORMATION/Multiple Reportメッセージ。
【００１７】
こうして、基地局装置１０は、基地局装置２０から規定のインタフェースに従った負荷情報要求に対する通知を受信することで、通知メッセージに設定された隣接セルの事業者単位の負荷情報を取得することができる（動作Ｓ３５）。基地局装置２０も同様に、基地局装置１０に対して規定のインタフェースに従った負荷情報要求を行い、それに対する通知を受信することで、隣接セルの事業者単位の負荷情報を取得することができる。
【００１８】
基地局装置１０および２０の各々は基本的に同様の構成を有するので、以下、図２および図３を参照しながら装置構成を説明する。
【００１９】
２．基地局装置の構成
図２に示すように、本実施形態による基地局装置１００は、自局セル内にある無線端末と無線通信を行うための無線送受信部１０１、他の基地局装置あるいはコアネットワークと通信を行うためのＳ１／Ｘ２インタフェース部１０２、負荷分散の最適化等の制御を行う最適化制御部１０３、本実施形態による負荷情報取得制御を行う負荷情報取得制御部１０４、自局セルおよび隣接セルのサポート事業者を格納するサポート事業者テーブル１０５、および基地局装置１００の動作を制御するための制御部１０６を有する。以下、基地局装置１００は最大６つのネットワーク事業者（PLMN1〜PLMN6）により共有されうる場合のサポート事業者テーブル１０５の構成について説明する。
【００２０】
図３に示すように、サポート事業者テーブル１０５には、自局のセルでサポートされる事業者（PLMN）が予め登録され、周囲の基地局装置と設定情報をやりとりすることにより隣接セルでサポートされる事業者が追加登録される。ここでは、一例として、自局のセルＣ１では、PLMN1〜PLMN6の順にネットワーク事業者Ａ、Ｂ、Ｃ、Ｄ、ＥおよびＦが登録されており、隣接セルＣｎ１では同じくネットワーク事業者Ａ、Ｃ、Ｄ、およびＧが、隣接セルＣｎ２では同じくネットワーク事業者Ｂ、Ｅ、Ｆ、Ｈ、ＩおよびＪが、それぞれ登録されているものとする。なお、自局のセルＣ１のネットワーク事業者Ａ、Ｂ、Ｃ、Ｄ、ＥおよびＦの設定情報も他の基地局装置へ通知され、他の基地局装置のサポート事業者テーブル１０５に隣接セルのサポート事業者として保持される。
【００２１】
３．第１実施例
以下、上述したIntra LTEを一例として、基地局装置１０および２０をそれぞれｅＮＢ１０およびｅＮＢ２０と表記する。本発明の第１実施例によれば、eNB1 Measurement IDを所定の分割ルールに従って分割し、それぞれに隣接セルがサポートする事業者(PLMN-ID)を紐づけることで、隣接セルの事業者単位の負荷情報を取得する。eNB1 Measurement IDは、測定を要求する側のｅＮＢにおいてＸ２インタフェースを通して測定構成を特定するために割り当てられる測定識別情報であり、規定により１〜４０９５の整数が割り当てられる(3GPP TS36.423 V11.0.0 Sec 9.1.2.11およびSec 9.1.2.12)。
【００２２】
３．１）動作
図４において、まず、ｅＮＢ１０とｅＮＢ２０との間でeNB1 Measurement IDの分割方法が共有される必要がある（動作Ｓ４０）。具体的には、ｅＮＢ１０およびｅＮＢ２０の負荷情報取得制御部１０４において同じ分割方法が設定される。この分割方法はｅＮＢ１０とｅＮＢ２０との間で同じ分割結果を共有できる方法であればよく、特定の分割方法に限定されるものではない。分割方法の具体例は後述する。
【００２３】
続いて、ｅＮＢ１０とｅＮＢ２０との間でＸ２インタフェースを通してSETUP REQUESTメッセージおよびSETUP RESPONSEメッセージがやりとりされ（動作Ｓ４１、Ｓ４２）、ｅＮＢ１０およびｅＮＢ２０のサポート事業者テーブル１０５にそれぞれ隣接セルのサポートPLMNが記録される（動作Ｓ４３、Ｓ４４）。
【００２４】
この状態において、ｅＮＢ１０で事業者単位の負荷情報を取得する契機が生じると（動作Ｓ４５）、ｅＮＢ１０の負荷情報取得制御部１０４は、サポート事業者テーブル１０５を参照して隣接セルがサポートする事業者を特定する情報（ここではPLMN毎に分割されたeNB1 Measurement IDの１つ）を設定したRESOURCE STATUS REQUESTメッセージをｅＮＢ２０へ送信する（動作Ｓ４６）。
【００２５】
RESOURCE STATUS REQUESTメッセージを受信したｅＮＢ２０の負荷情報取得制御部１０４は、RESOURCE STATUS RESPONSEメッセージをｅＮＢ１０へ返した後（動作Ｓ４７）、RESOURCE STATUS REQUESTメッセージに設定されたeNB1 Measurement IDから指定されたセルの指定された事業者(PLMN)を特定する。そして、その測定結果（負荷情報）をRESOURCE STATUS UPDATEメッセージに設定し（動作Ｓ４８）、ｅＮＢ１０へ送信する（動作Ｓ４９）。こうして、ｅＮＢ１０の負荷情報取得制御部１０４は、受信したRESOURCE STATUS UPDATEメッセージから指定した事業者(PLMN)の負荷情報を取得することができる（動作Ｓ５０）。
【００２６】
ただし、現在の規定(3GPP TS36.423 V11.0.0 Sec 8.3.7)によれば、RESOURCE STATUS UPDATEのインタフェースは、同一セルについて１つの情報しか設定できないので、別の事業者(PLMN)の負荷情報を要求する場合にはRESOURCE STATUS REQUESTメッセージを複数送信する必要がある。
【００２７】
３．２）分割方法
図５に、eNB1 Measurement ID（１〜４０９５の整数）を７で割った剰余を与える(eNB1 Measurement ID)mod７を所定の分割ルールとした例を示すこの計算によりeNB1 Measurement IDを７つのグループに分割し、それぞれを負荷情報の取得対象に割り振る。ここでは、(eNB1 Measurement ID)mod７＝０を全ての事業者。負荷を合算する既存の方式に、(eNB1 Measurement ID)mod７＝１〜６をそれぞれの事業者PLMN1〜PLMN6に割り振る。
【００２８】
したがって、図３に示すような隣接セルＣｎ１のPLMN2に対応する事業者Ｃの負荷情報を要求する場合には、たとえばeNB1 Measurement ID＝２を設定したRESOURCE STATUS REQUESTメッセージをｅＮＢ２０へ送信する。これを受信したｅＮＢ２０では、eNB1 Measurement ID＝２から同じ分割ルールを用いてPLMN2であることが分かるので、事業者Ｃの負荷情報をRESOURCE STATUS UPDATEメッセージに設定してｅＮＢ１０へ返す。こうして任意の１つの事業者の隣接セルにおける負荷情報を取得することができる。
【００２９】
４．第２実施例
本発明の第２実施例によれば、既存の負荷情報要求/通知メッセージに従って隣接セルの各事業者の負荷情報を一括で取得し、保持している隣接セルの事業者情報を参照して各事業者の負荷情報を取得する。
【００３０】
図６において、まず、基地局間で報告方式を共有しておく（動作Ｓ６０）。続く動作Ｓ４１〜Ｓ４４は、図５に示す第１実施例と同様であるから説明は省略する。ｅＮＢ１０で事業者単位の負荷情報を取得する契機が生じると（動作Ｓ４５）、ｅＮＢ１０の負荷情報取得制御部１０４は、負荷情報の取得対象となる隣接セルを指定したRESOURCE STATUS REQUESTメッセージをｅＮＢ２０へ送信する（動作Ｓ６１）。
【００３１】
RESOURCE STATUS REQUESTメッセージを受信したｅＮＢ２０の負荷情報取得制御部１０４は、RESOURCE STATUS RESPONSEメッセージをｅＮＢ１０へ返した後（動作Ｓ６２）、RESOURCE STATUS REQUESTメッセージで指定されたセルにおける全ての事業者のそれぞれの負荷情報を動作Ｓ４２で通知した設定情報と同じ順序で繰り返してRESOURCE STATUS UPDATEメッセージに設定し（動作Ｓ６３）、このRESOURCE STATUS UPDATEメッセージをｅＮＢ１０へ送信する（動作Ｓ６４）。たとえば、図３に示すような隣接セルＣｎ１を指定した場合には、事業者Ａ、Ｃ、Ｄ、Ｇの負荷情報がPLMN1〜PLMN4の順番に設定される。
【００３２】
ｅＮＢ１０の負荷情報取得制御部１０４は、同一セルＩＤで複数の負荷情報が載っているRESOURCE STATUS UPDATEメッセージを受信すると、サポート事業者テーブル１０５の隣接セルＣｎ１の設定順序を参照することで、受信したRESOURCE STATUS UPDATEメッセージから隣接セルＣｎ１がサポートする全ての事業者(PLMN)の負荷情報を取得することができる（動作Ｓ６５）。
【００３３】
５．第３実施例
本発明の第３実施例によれば、第１実施例におけるeNB1 Measurement IDの分割ルールを拡張し、第１実施例による個別報告方式と第２実施例の一括報告方式を負荷情報取得対象の事業者数あるいはセル数に応じて選択可能にする。
【００３４】
５．１）動作
図６において、動作Ｓ４０〜Ｓ４４は、図５に示す第１実施例と同様であるから説明は省略する。ただし、本実施例で採用される分割方法は第１実施例におけるeNB1 Measurement IDの分割ルールの拡張であり、具体例については後述する。
【００３５】
ｅＮＢ１０で事業者単位の負荷情報を取得する契機が生じると（動作Ｓ４５）、ｅＮＢ１０の負荷情報取得制御部１０４は、負荷情報取得対象の隣接セルにおける全サポート事業者数と負荷情報を取得すべき事業者数とを比較し、その比較結果に応じて第１実施例の個別報告方式と第２実施例の一括報告方式のいずれかを選択する（動作Ｓ７０）。具体的な選択方式および選択基準については後述する。そして、選択された報告方式に対応するeNB1 Measurement IDを設定したRESOURCE STATUS REQUESTメッセージがｅＮＢ２０へ送信される（動作Ｓ７１）。
【００３６】
RESOURCE STATUS REQUESTメッセージを受信したｅＮＢ２０の負荷情報取得制御部１０４は、RESOURCE STATUS RESPONSEメッセージをｅＮＢ１０へ返した後（動作Ｓ７２）、RESOURCE STATUS REQUESTメッセージに設定されたeNB1 Measurement IDに従って、個別あるいは一括報告方式により負荷情報をRESOURCE STATUS UPDATEメッセージに設定し（動作Ｓ７３）、当該RESOURCE STATUS UPDATEメッセージをｅＮＢ１０へ送信する（動作Ｓ７４）。こうして、ｅＮＢ１０の負荷情報取得制御部１０４は、受信したRESOURCE STATUS UPDATEメッセージから選択した報告方式に従って事業者(PLMN)の負荷情報を取得することができる（動作Ｓ７５）。
【００３７】
５．２）分割方法の拡張
上述したように、第１実施例の個別報告方式では、複数の事業者(PLMN)の負荷情報を要求する場合、RESOURCE STATUS REQUESTメッセージを複数送信する必要があり、それに対してRESOURCE STATUS UPDATEメッセージが周期的に送信される。したがって、Ｘ２インタフェースの負荷を考慮した場合、第１実施例の個別報告方式は、負荷情報を取得すべき事業者数が少ない場合あるいは１セルの場合に選択されるのが望ましい。逆に、負荷情報を取得すべき事業者数が多い場合あるいは複数セルの場合には第２実施例の一括報告方式の方が有利である。そこで、第１実施例におけるeNB1 Measurement IDの分割ルールを拡張して、第１実施例および第２実施例の負荷情報報告方式を負荷情報取得対象の数に応じて選択可能にした。
【００３８】
図８に、eNB1 Measurement ID（１〜４０９５の整数）を８で割った剰余を与える(eNB1 Measurement ID)mod８を所定の分割ルールとした例を示す。この計算によりeNB1 Measurement IDを８つのグループに分割し、それぞれを負荷情報の取得対象に割り振る。ここでは、(eNB1 Measurement ID)mod８＝０を全ての事業者負荷を合算する既存の方式に、(eNB1 Measurement ID)mod８＝１〜６をそれぞれの事業者PLMN1〜PLMN6に割り当てる第１実施例の個別報告方式に、(eNB1 Measurement ID)mod８＝７を全事業者に一括して割り当てる第２実施例の一括報告方式に、それぞれ割り振る。
【００３９】
たとえば、図３に示すような隣接セルＣｎ１のPLMN2に対応する事業者Ｃの負荷情報を要求する場合には、たとえばeNB1 Measurement ID＝２を設定したRESOURCE STATUS REQUESTメッセージをｅＮＢ２０へ送信する。これを受信したｅＮＢ２０では、eNB1 Measurement ID＝２から同じ分割ルールを用いてPLMN2であることが分かるので、事業者Ｃの負荷情報をRESOURCE STATUS UPDATEメッセージに設定してｅＮＢ１０へ返す。こうして、第１実施例の個別報告方式に従って、任意の１つの事業者の隣接セルにおける負荷情報を取得することができる。
【００４０】
また、図３に示すような隣接セルＣｎ１のPLMN2〜PLMN4に対応する事業者Ｃ、Ｄ、Ｇの負荷情報を要求する場合には、第２実施例の一括報告方式を選択し、たとえばeNB1 Measurement ID＝７を設定したRESOURCE STATUS REQUESTメッセージをｅＮＢ２０へ送信する。これを受信したｅＮＢ２０では、eNB1 Measurement ID＝７から同じ分割ルールを用いてセルＣｎ１の全てのPLMN1〜4を一括して報告することが分かるので、セルＣｎ１の事業者Ａ、Ｃ、Ｄ、Ｇの負荷情報をこの順番でRESOURCE STATUS UPDATEメッセージに繰り返し設定してｅＮＢ１０へ返す。ｅＮＢ１０の負荷情報取得制御部１０４は、同一セルＩＤで複数の負荷情報が載っているRESOURCE STATUS UPDATEメッセージを受信すると、サポート事業者テーブル１０５の隣接セルＣｎ１の設定順序を参照することで、受信したRESOURCE STATUS UPDATEメッセージから隣接セルＣｎ１がサポートする全ての事業者(PLMN)の負荷情報を取得することができ、そこから当初要求した事業者Ｃ、Ｄ、Ｇの負荷情報を取り出せばよい。
【００４１】
６．第４実施例
本発明の第４実施例は、上述した第２実施例をInter RATにおけるRIM(RAN Information Management：RAN情報管理)手順による負荷情報取得に適用したものである。
【００４２】
図９において、基地局１０ａおよび２０ａはそれぞれ異なる無線アクセスシステムに配置された無線基地局であり、次のようにRIM手順に基づく負荷情報取得手順を実行する。
【００４３】
まず、基地局間で報告方式を共有し（動作Ｓ８０）、O&M(Operation and Management)データにより基地局１０ａおよび２０ａのそれぞれのサポート事業者テーブル１０５に、隣接セルのサポート事業者（PLMN）が記録されているものとする（動作Ｓ４３、Ｓ４４）。
【００４４】
この状態において、基地局１０ａで事業者単位の負荷情報を取得する契機が生じると（動作Ｓ４５）、基地局１０ａの負荷情報取得制御部１０４は、負荷情報の取得対象となる隣接セルをMulti-Cell Load Reporting Requestとして設定したRAN INFORMATION REQUEST/Multiple Reportメッセージを基地局２０ａへコアネットワークを通して送信する（動作Ｓ８１）。
【００４５】
Multi-Cell Load Reporting Requestが設定されたRAN INFORMATION REQUEST/Multiple Reportメッセージを受信した基地局２０ａの負荷情報取得制御部１０４は、RAN INFORMATION RESPONSE/Multiple Report-Initialメッセージを基地局１０ａへコアネットワークを通して返信した後（動作Ｓ８２）、RAN INFORMATION REQUEST/Multiple Reportメッセージ内のMulti-Cell Load Reporting Requestで指定されたセルにおいて、全ての事業者のそれぞれの負荷情報を繰り返してMulti-Cell Load Reporting Responseに設定し（動作Ｓ８３）、Multi-Cell Load Reporting Responseを含んだRAN INFORMATION/Multiple Reportメッセージを基地局１０ａへコアネットワークを通して送信する（動作Ｓ８４）。たとえば、図３に示すような隣接セルＣｎ１を指定した場合には、事業者Ａ、Ｃ、Ｄ、Ｇの負荷情報がPLMN1〜PLMN4の順番にRAN INFORMATION//Multiple Reportメッセージ内のMulti-Cell Load Reporting Responseに設定される。
【００４６】
基地局１０ａの負荷情報取得制御部１０４は、Multi-Cell Load Reporting Response が設定されたRAN INFORMATION/Multiple Reportメッセージを受信すると、サポート事業者テーブル１０５の隣接セルＣｎ１の設定順序を参照することで、受信メッセージから隣接セルＣｎ１がサポートする全ての事業者(PLMN)の負荷情報を取得することができる（動作Ｓ８５）。
【産業上の利用可能性】
【００４７】
本発明はＬＴＥシステムの負荷情報取得に適用可能である。
【符号の説明】
【００４８】
１０、１０ａ  基地局装置（基地局）
１１  隣接セルサポート事業者テーブル
２０、２０ａ  基地局装置（基地局）
２１  隣接セルサポート事業者テーブル
１００  基地局装置
１０１  無線送受信部
１０２  Ｓ１／Ｘ２インタフェース
１０３  最適化制御部
１０４  負荷情報取得制御部
１０５  サポート事業者テーブル
１０６  制御部
【図１】
2014204171.tif 000003
【図２】
2014204171.tif 000004
【図３】
2014204171.tif 000005
【図４】
2014204171.tif 000006
【図５】
2014204171.tif 000007
【図６】
2014204171.tif 000008
【図７】
2014204171.tif 000009
【図８】
2014204171.tif 000010
【図９】
2014204171.tif 000011